【手続補正書】
【提出日】平成17年6月23日(2005.6.23)
【手続補正１】
【補正対象書類名】明細書
【補正対象項目名】特許請求の範囲
【補正方法】変更
【補正の内容】
【特許請求の範囲】
【請求項１】
通信部を介して外部装置と通信可能な画像形成装置であって、
ビデオインタフェースへ供給される画像の処理を行う処理部の省エネモード時に節電されているステータス更新に必要な電源の電源供給を制御する制御手段と、
前記省エネモードを維持したまま、前記制御手段の電源制御に応じて更新されたステータスを外部に出力する出力手段とを有することを特徴とする画像形成装置。
【請求項２】
通信部を介して外部装置と通信可能な画像形成装置であって、
前記画像形成装置の状態を検知する検知手段と、
ビデオインタフェースへ供給される画像の処理を行う第１制御手段と、
前記第１制御手段への電源供給が節電された省エネモード時に、前記検知手段により前記状態を更新する場合、前記省エネモード時に節電されている前記検知手段への電源供給を制御する第２制御手段と、
前記省エネモード時に、前記通信部を介して前記画像形成装置のステータスの問い合わせがあると、前記第２制御手段の電源制御に応じて前記検知手段により検知された前記状態に基づく、前記外部装置への通知を行う通知手段とを有することを特徴とする画像形成装置。
【請求項３】
前記第２制御手段は、前記検知手段による前記状態の更新が終了した後、前記検知手段への電源供給の節電を制御することを特徴とする請求項２記載の画像形成装置。
【請求項４】
前記検知手段には第１検知手段及び第２検知手段が含まれ、
前記第２制御手段は、前記第１検知手段への電源供給に応じて前記第１検知手段から取得される検知結果に応じて、前記第２検知手段への電源供給を維持し前記第２検知手段による検知を行うことを特徴とする請求項２又は３に記載の画像形成装置。
【請求項５】
前記画像形成装置の状態を検知する検知手段と、
ビデオインタフェースへ供給される画像の処理を行うを行う第１の制御手段と、
前記第１の制御手段への電源供給が節電された省エネモード時に、電源が供給される前記検知手段により検知される前記状態を新たな状態とする更新手段と、
前記省エネモード時に、前記更新手段により更新された前記状態に基づく出力を制御する第２の制御手段とを有することを特徴とする画像形成装置。
【請求項６】
通常待機時には、前記検知手段により検知された前記状態の出力先に前記第１の制御手段を接続し、前記省エネモード時には、前記検知手段により検知された前記状態の出力先に前記第２の制御手段を接続する状態信号切替手段と、
通常待機時には通信部が前記第１の制御手段に接続されて情報のやり取りを行い、前記省エネモード時には前記通信部が前記第２の制御手段に接続されて情報のやりとりを行うように切り替え制御を行う切替手段と、を備えることを特徴とする請求項５記載の画像形成装置。
【請求項７】
前記検知手段には第１検知手段及び第２検知手段が含まれており、
前記更新手段は、前記第１検知手段の検知結果に基づき、必要と判断される場合に前記第２検知手段への電源供給を維持し、前記第２の制御手段は前記第１検知手段及び／又は第２検知手段の検知結果に基づく通知を前記通知部に行わせることを特徴とする請求項５に記載の画像形成装置。
【請求項８】
前記第１検知手段は、画像形成装置の通常待機時及び省エネモード時に定期的に、前記状態の検知を行い、前記第２検知手段は前記第１検知手段の検知結果に応じて必要と判断される場合に検知を行うことを特徴とする請求項７に記載の画像形成装置。
【請求項９】
前記第１の制御手段は、電力モードが通常待機時である場合に、通信部を介して外部装置から前記画像形成装置のステータスの問い合わせがあると、前記検知手段で検知された前記状態に基づく通知を前記通信部に行わせることを特徴とする請求項５乃至８の何れかに記載の画像形成装置。
【請求項１０】
前記第２の制御手段は、前記省エネモード時に通信部から所定のジョブ要求を受けた時には、前記第１の制御手段の動作を再開させる要求を前記第１の制御手段に出力するとともに、前記通信部から前記所定のジョブ要求に基づくコマンドを前記第１の制御手段に通知することを特徴とする請求項５乃至９の何れかに記載の画像形成装置。
【請求項１１】
通信部を介して外部装置と通信可能な画像形成装置における電力制御方法であって、  ビデオインタフェースへ供給される画像の処理を行う処理部の省エネモード時に節電されているステータス更新に必要な電源の電源供給を制御する制御ステップと、
前記省エネモードを維持したまま、前記制御ステップによる電源制御に応じて更新されたステータスを外部に出力する出力ステップとを有することを特徴とする電力制御方法。
【請求項１２】
通信部を介して外部装置と通信可能で、画像形成装置の状態を検知する検知手段を備える画像形成装置における電力制御方法であって、
ビデオインタフェースへ供給される画像の処理を行う第１制御手段による処理ステップと、
前記第１制御手段への電源供給が節電された省エネモード時に、前記検知手段により前記状態を更新する場合、前記省エネモード時に節電されている前記検知手段への電源供給を制御する第２制御手段による第２制御ステップと、
前記省エネモード時に、前記通信部を会して前記画像形成装置のステータスの問い合わせがあると、前記第２制御ステップにおける電源制御に応じて前記検知手段により検知された前記状態に基づく、前記外部装置への通知を行う通知ステップと、を有することを特徴とする電力制御方法。
【請求項１３】
前記省エネモード時に、前記検知手段による前記状態の更新が終了した後、前記検知手段への電源供給の節電する節電ステップを有することを特徴とする請求項１２に記載の電力制御方法。
【請求項１４】
前記検知手段には第１検知手段及び第２検知手段が含まれ、前記第１検知手段による第１検知ステップと、
前記第２検知手段による第２検知ステップとを有し、前記第２制御ステップは、前記第１検知手段への電源供給に応じて前記第１検知ステップにより取得される検知結果に応じて、前記第２検知手段への電源供給を維持し、前記第２検知手段による検知を行わせることを特徴とする請求項１２又は１３に記載の電力制御方法。
【請求項１５】
画像形成装置の状態を検知手段により検知する検知ステップと、
ビデオインタフェースへ供給される画像の処理を行う第１の制御手段による処理ステップと、
前記第１の制御手段への電源供給が節電された省エネモード時に、電源が供給される前記検知手段により検知される前記状態を新たな状態とする更新ステップと、
前記省エネモード時に、前記更新ステップにおいて更新された前記状態に基づく出力を制御する第２の制御手段による第２制御ステップとを有することを特徴とする電力制御方法。
【請求項１６】
通常待機時には、前記検知ステップにより検知された前記状態の出力先に前記第１の制御手段を接続し、前記省エネモード時には、前記検知ステップにより検知された前記状態の出力先に前記第２の制御手段を接続する状態信号切替ステップと、
通常待機時には通信部が前記第１の制御手段に接続されて情報のやり取りを行い、前記省エネモード時には前記通信部が前記第２の制御手段に接続されて情報のやりとりを行うように切り替え制御を行う切替ステップと、
を備えることを特徴とする請求項１５記載の電力制御方法。
【請求項１７】
前記検知ステップは、第１検知手段及び第２検知手段を少なくとも含む複数種類の検知手段による検知を行い、前記更新ステップは前記第１検知手段の検知結果に基づき、必要と判断される場合に前記第２検知手段への電源供給を維持し、前記第２通知ステップは前記第１検知手段及び／又は第２検知手段の検知結果に基づく通知を行うことを特徴とする請求項１５に記載の電力制御方法。
【請求項１８】
前記検知ステップは前記第１検知手段による前記状態の検知を、画像形成装置の通常待機時及び省エネモード時に、定期的に行い、さらに前記検知ステップは、前記第２検知手段による検知を前記第１検知手段の検知結果に応じて必要と判断される場合に行うことを特徴とする請求項１７に記載の電力制御方法。
【請求項１９】
電力モードが通常待機時である場合に、通信部を介して外部装置から前記画像形成装置のステータスの問い合わせがあると、前記検知ステップで検知された前記状態に基づく通知を前記通信部に行わせる、前記第１の制御手段による通知制御ステップを有することを特徴とする請求項１５乃至１８の何れかに記載の電力制御方法。
【請求項２０】
前記第２の制御手段が前記省エネモード時に通信部から所定のジョブ要求を受けた時には、前記第１の制御手段の動作を再開させる要求を前記第２の制御手段から前記第１の制御手段に出力するとともに、前記通信部から前記所定のジョブ要求に基づくコマンドを前記第２の制御手段から前記第１の制御手段に通知するステップを有することを特徴とする請求項１５乃至１９の何れかに記載の電力制御方法。
【請求項２１】
請求項１１乃至２０の何れかに記載の電力制御方法をコンピュータに実行させるためのコンピュータ可読の記憶媒体。
【請求項２２】
請求項１１乃至２０の何れかに記載の電力制御方法をコンピュータに実行させるためのプログラム。
【手続補正２】
【補正対象書類名】明細書
【補正対象項目名】００１０
【補正方法】変更
【補正の内容】
【００１０】
本発明の目的は、従来に比べてより一層の省電力化を実現すると共に、更新されたステータスを出力することができる仕組みを提供することにある。
【手続補正３】
【補正対象書類名】明細書
【補正対象項目名】００１１
【補正方法】変更
【補正の内容】
【００１１】
また、別の目的は、複数の各種センサを備える画像形成装置において、メインチップに比べて消費電力の少ないサブＣＰＵに適切な画像形成装置の状態又はステータス出力を行わせる仕組みを提供することにある。
【手続補正４】
【補正対象書類名】明細書
【補正対象項目名】００１２
【補正方法】変更
【補正の内容】
【００１２】
【課題を解決するための手段】
本発明に係る第１の発明は、通信部を介して外部装置と通信可能な画像形成装置であって、ビデオインタフェースへ供給される画像の処理を行う処理部の省エネモード時に節電されているステータス更新に必要な電源の電源供給を制御する制御手段と、前記省エネモードを維持したまま、前記制御手段の電源制御に応じて更新されたステータスを外部に出力する出力手段とを有することを特徴とする。
【手続補正５】
【補正対象書類名】明細書
【補正対象項目名】００１３
【補正方法】変更
【補正の内容】
【００１３】
本発明に係る第２の発明は、通信部を介して外部装置と通信可能な画像形成装置であって、前記画像形成装置の状態を検知する検知手段と、ビデオインタフェースへ供給される画像の処理を行う第１制御手段と、前記第１制御手段への電源供給が節電された省エネモード時に、前記検知手段により前記状態を更新する場合、前記省エネモード時に節電されている前記検知手段への電源供給を制御する第２制御手段と、前記省エネモード時に、前記通信部を介して前記画像形成装置のステータスの問い合わせがあると、前記第２制御手段の電源制御に応じて前記検知手段により検知された前記状態に基づく、前記外部装置への通知を行う通知手段とを有することを特徴とする。
【手続補正６】
【補正対象書類名】明細書
【補正対象項目名】００１４
【補正方法】変更
【補正の内容】
【００１４】
本発明に係る第３の発明は、前記第２制御手段は、前記検知手段による前記状態の更新が終了した後、前記検知手段への電源供給の節電を制御することを特徴とする。
【手続補正７】
【補正対象書類名】明細書
【補正対象項目名】００１５
【補正方法】変更
【補正の内容】
【００１５】
本発明に係る第４の発明は、前記検知手段には第１検知手段及び第２検知手段が含まれ、前記第２制御手段は、前記第１検知手段への電源供給に応じて前記第１検知手段から取得される検知結果に応じて、前記第２検知手段への電源供給を維持し前記第２検知手段による検知を行うことを特徴とする。
【手続補正８】
【補正対象書類名】明細書
【補正対象項目名】００１６
【補正方法】変更
【補正の内容】
【００１６】
本発明に係る第５の発明は、前記画像形成装置の状態を検知する検知手段と、ビデオインタフェースへ供給される画像の処理を行うを行う第１の制御手段と、前記第１の制御手段への電源供給が節電された省エネモード時に、電源が供給される前記検知手段により検知される前記状態を新たな状態とする更新手段と、前記省エネモード時に、前記更新手段により更新された前記状態に基づく出力を制御する第２の制御手段とを有することを特徴とする。
【手続補正９】
【補正対象書類名】明細書
【補正対象項目名】００１７
【補正方法】変更
【補正の内容】
【００１７】
本発明に係る第６の発明は、通常待機時には、前記検知手段により検知された前記状態の出力先に前記第１の制御手段を接続し、前記省エネモード時には、前記検知手段により検知された前記状態の出力先に前記第２の制御手段を接続する状態信号切替手段と、通常待機時には通信部が前記第１の制御手段に接続されて情報のやり取りを行い、前記省エネモード時には前記通信部が前記第２の制御手段に接続されて情報のやりとりを行うように切り替え制御を行う切替手段と、を備えることを特徴とする。
【手続補正１０】
【補正対象書類名】明細書
【補正対象項目名】００１８
【補正方法】変更
【補正の内容】
【００１８】
本発明に係る第７の発明は、前記検知手段には第１検知手段及び第２検知手段が含まれており、前記更新手段は、前記第１検知手段の検知結果に基づき、必要と判断される場合に前記第２検知手段への電源供給を維持し、前記第２の制御手段は前記第１検知手段及び／又は第２検知手段の検知結果に基づく通知を前記通知部に行わせることを特徴とする。
【手続補正１１】
【補正対象書類名】明細書
【補正対象項目名】００１９
【補正方法】変更
【補正の内容】
【００１９】
本発明に係る第８の発明は、前記第１検知手段は、画像形成装置の通常待機時及び省エネモード時に定期的に、前記状態の検知を行い、前記第２検知手段は前記第１検知手段の検知結果に応じて必要と判断される場合に検知を行うことを特徴とする。
【手続補正１２】
【補正対象書類名】明細書
【補正対象項目名】００２０
【補正方法】変更
【補正の内容】
【００２０】
本発明に係る第９の発明は、前記第１の制御手段は、電力モードが通常待機時である場合に、通信部を介して外部装置から前記画像形成装置のステータスの問い合わせがあると、前記検知手段で検知された前記状態に基づく通知を前記通信部に行わせることを特徴とする。
【手続補正１３】
【補正対象書類名】明細書
【補正対象項目名】００２１
【補正方法】変更
【補正の内容】
【００２１】
本発明に係る第１０の発明は、前記第２の制御手段は、前記省エネモード時に通信部から所定のジョブ要求を受けた時には、前記第１の制御手段の動作を再開させる要求を前記第１の制御手段に出力するとともに、前記通信部から前記所定のジョブ要求に基づくコマンドを前記第１の制御手段に通知することを特徴とする。
【手続補正１４】
【補正対象書類名】明細書
【補正対象項目名】００２２
【補正方法】変更
【補正の内容】
【００２２】
本発明に係る第１１の発明は、通信部を介して外部装置と通信可能な画像形成装置における電力制御方法であって、ビデオインタフェースへ供給される画像の処理を行う処理部の省エネモード時に節電されているステータス更新に必要な電源の電源供給を制御する制御ステップと、前記省エネモードを維持したまま、前記制御ステップによる電源制御に応じて更新されたステータスを外部に出力する出力ステップとを有することを特徴とする。
【手続補正１５】
【補正対象書類名】明細書
【補正対象項目名】００２３
【補正方法】変更
【補正の内容】
【００２３】
本発明に係る第１２の発明は、通信部を介して外部装置と通信可能で、画像形成装置の状態を検知する検知手段を備える画像形成装置における電力制御方法であって、ビデオインタフェースへ供給される画像の処理を行う第１制御手段による処理ステップと、前記第１制御手段への電源供給が節電された省エネモード時に、前記検知手段により前記状態を更新する場合、前記省エネモード時に節電されている前記検知手段への電源供給を制御する第２制御手段による第２制御ステップと、前記省エネモード時に、前記通信部を会して前記画像形成装置のステータスの問い合わせがあると、前記第２制御ステップにおける電源制御に応じて前記検知手段により検知された前記状態に基づく、前記外部装置への通知を行う通知ステップと、を有することを特徴とする。
【手続補正１６】
【補正対象書類名】明細書
【補正対象項目名】００２４
【補正方法】変更
【補正の内容】
【００２４】
本発明に係る第１３の発明は、前記省エネモード時に、前記検知手段による前記状態の更新が終了した後、前記検知手段への電源供給の節電する節電ステップを有することを特徴とする。
【手続補正１７】
【補正対象書類名】明細書
【補正対象項目名】００２５
【補正方法】変更
【補正の内容】
【００２５】
本発明に係る第１４の発明は、前記検知手段には第１検知手段及び第２検知手段が含まれ、前記第１検知手段による第１検知ステップと、前記第２検知手段による第２検知ステップとを有し、前記第２制御ステップは、前記第１検知手段への電源供給に応じて前記第１検知ステップにより取得される検知結果に応じて、前記第２検知手段への電源供給を維持し、前記第２検知手段による検知を行わせることを特徴とする。
【手続補正１８】
【補正対象書類名】明細書
【補正対象項目名】００２６
【補正方法】変更
【補正の内容】
【００２６】
本発明に係る第１５の発明は、画像形成装置の状態を検知手段により検知する検知ステップと、ビデオインタフェースへ供給される画像の処理を行う第１の制御手段による処理ステップと、前記第１の制御手段への電源供給が節電された省エネモード時に、電源が供給される前記検知手段により検知される前記状態を新たな状態とする更新ステップと、前記省エネモード時に、前記更新ステップにおいて更新された前記状態に基づく出力を制御する第２の制御手段による第２制御ステップとを有することを特徴とする。
【手続補正１９】
【補正対象書類名】明細書
【補正対象項目名】００２７
【補正方法】変更
【補正の内容】
【００２７】
本発明に係る第１６の発明は、通常待機時には、前記検知ステップにより検知された前記状態の出力先に前記第１の制御手段を接続し、前記省エネモード時には、前記検知ステップにより検知された前記状態の出力先に前記第２の制御手段を接続する状態信号切替ステップと、通常待機時には、通信部が前記第１の制御手段に接続されて情報のやり取りを行い、前記省エネモード時には前記通信部が前記第２の制御手段に接続されて情報のやりとりを行うように切り替え制御を行う切替ステップと、
を備えることを特徴とする請求項１５記載の電力制御方法。
本発明に係る第１７の発明は、前記検知ステップは、第１検知手段及び第２検知手段を少なくとも含む複数種類の検知手段による検知を行い、前記更新ステップは前記第１検知手段の検知結果に基づき、必要と判断される場合に前記第２検知手段への電源供給を維持し、前記第２通知ステップは前記第１検知手段及び／又は第２検知手段の検知結果に基づく通知を行うことを特徴とする。
本発明に係る第１８の発明は、前記検知ステップは前記第１検知手段による前記状態の検知を、画像形成装置の通常待機時及び省エネモード時に、定期的に行い、さらに前記検知ステップは、前記第２検知手段による検知を前記第１検知手段の検知結果に応じて必要と判断される場合に行うことを特徴とする。
本発明に係る第１９の発明は、電力モードが通常待機時である場合に、通信部を介して外部装置から前記画像形成装置のステータスの問い合わせがあると、前記検知ステップで検知された前記状態に基づく通知を前記通信部に行わせる、前記第１の制御手段による通知制御ステップを有することを特徴とする。
本発明に係る第２０の発明は、前記第２の制御手段が前記省エネモード時に通信部から所定のジョブ要求を受けた時には、前記第１の制御手段の動作を再開させる要求を前記第２の制御手段から前記第１の制御手段に出力するとともに、前記通信部から前記所定のジョブ要求に基づくコマンドを前記第２の制御手段から前記第１の制御手段に通知するステップを有することを特徴とする。
本発明に係る第２１の発明は、第１１〜第２０の何れかの電力制御方法をコンピュータに実行させる為のコンピュータ可読の記憶媒体であることを特徴とする。
本発明に係る第２２の発明は、第１１〜第２０の何れかの電力制御方法をコンピュータに実行させるためのプログラムであることを特徴とする。
【手続補正２０】
【補正対象書類名】明細書
【補正対象項目名】０２０７
【補正方法】変更
【補正の内容】
【０２０７】
【発明の効果】
以上説明したように、本発明によれば、従来に比べてより一層の省電力化を実現すると共に、更新されたステータスを出力することができる。
【手続補正２１】
【補正対象書類名】明細書
【補正対象項目名】０２０８
【補正方法】変更
【補正の内容】
【０２０８】
また、複数の各種センサを備える画像形成装置において、メインチップに比べて消費電力の少ないサブＣＰＵに適切な画像形成装置の状態又はステータス出力を行わせることができる。